(57)【要約】      （修正有）【課題】利用者本人の残存能力を生かしつつ、合せて介護者の介護の軽減化と安全性を更に改善し、且つ、利用者本人の入浴意欲の増大が期待出来る自立支援用入浴補助台を提供する。【解決手段】介護用浴槽１の縁上面から床面にまでの高さＨに適合し、且つ、介護用浴槽の縁上面及び床面部にそれぞれ２箇所設けた係止穴部１ａ、１ｂに適合する外径寸法ｄをそれぞれ有する段違いの門型脚部２ａと、該門型脚部の上部全面に設けた矩形状の座板２ｂから成る。又、補助台２の脚部先端２ａ'、２ａ"を嵌脱自在にそれぞれ設ける。【選択図】図２
0003171854.tif 000002
【実用新案登録請求の範囲】
【請求項１】
介護用浴槽の縁部に設けて介護者の自立支援を行う補助椅子であって、該補助台（２）は介護用浴槽（１）の縁上面から床面にまでの高さ（Ｈ）に適合し、且つ、介護用浴槽（１）の縁上面及び床面部にそれぞれ２箇所設けた係止穴部（１ａ）（１ａ），（１ｂ）（１ｂ）に適合する外径寸法（ｄ）をそれぞれ有する段違いの門型脚部（２ａ）（２ａ）と、該門型脚部の上部全面に設けた矩形状の座板（２ｂ）から成ることを特徴とする自立支援用入浴補助台。
【請求項２】
補助台（２）の脚部先端（２ａ'）（２ａ'），（２ａ"）（２ａ"）を嵌脱自在にそれぞれ設けたことを特徴とする請求項１記載の自立支援用入浴補助台。
【考案の詳細な説明】
【技術分野】
【０００１】
この考案は、自立支援用入浴補助台に関するものである。
【背景技術】
【０００２】
従来、高齢者、或いは、身体に何らかの障害を持つことになった傷害者は、従来のように一人浴槽が利用出来なくなる場合があり、その為、機械力による装置に頼って入浴する特別浴槽の利用を余儀なくされる事があった。
【０００３】
しかし、この特別浴槽を利用しなければ、入浴出来ないというのは利用者本人にとって、健康に対する自信を必要以上に失ったり、場合によっては屈辱感を感じたり、又、利用者本人のそれまでの生理的な生活習慣を大きく転換させる事であり、人間の尊厳を考えた時に、決して望ましいものではなかった。
【０００４】
そこで、上記問題を解決する為に、考案し出願したのが、実願２００５−００１０３７の介護用浴槽である。
【０００５】
上記、介護用浴槽に対して、更に介護者が、更に安全で楽に、安心して入浴が出来るよう改善するよう求められている。
【先行技術文献】
【特許文献】
【０００６】
これまでに出願されている介護用浴槽に関する特許文献を参考のため、紹介する（特許文献１〜４参照）。
【特許文献１】実願平８−００１００９
【特許文献２】実願平１０−００９８０８
【特許文献３】特願２００３−１９０７３１
【特許文献４】実願２００５−００１０３７
【考案の概要】
【考案が解決しようとする課題】
【０００７】
そこで、上記課題を解決する為に、この考案は利用者本人の残存能力を生かしつつ、合せて介護者の介護の軽減化と安全性を更に改善し、且つ、利用者本人の入浴意欲の増大が期待出来る自立支援用入浴補助台を開発・提供する事にある。
【課題を解決するための手段】
【０００８】
この課題を解決するための手段として、介護用浴槽の縁上面から床面にまでの高さに適合し、且つ、介護用浴槽の縁上面及び床面部にそれぞれ２箇所設けた係止穴部に適合する外径寸法をそれぞれ有する段違いの門型脚部と、該門型脚部の上部全面に設けた矩形状の座板から成ることを特徴とするものである。
【０００９】
又、補助台の脚部先端を嵌脱自在にそれぞれ設けたことを特徴とするものである。
【考案の効果】
【００１０】
この考案の効果として、介護用浴槽の縁上面から床面にまでの高さに適合し、且つ、介護用浴槽の縁上面及び床面部にそれぞれ２箇所設けた係止穴部に適合する外径寸法をそれぞれ有する段違いの門型脚部と、該門型脚部の上部全面に設けた矩形状の座板から成ることを特徴とし。又、補助台の脚部先端を嵌脱自在にそれぞれ設けたことを特徴とする事で、利用者本人の残存能力を生かしつつ、合せて介護者の介護の軽減化と安全性を更に改善し、且つ、利用者本人の入浴意欲の増大が期待出来、且つ、安全性・耐久性・操作性面で極めて有益なる効果を奏するものである。
【図面の簡単な説明】
【００１１】
【図１】この考案の一実施例を示し、補助台単体の斜視図である。
【図２】この考案の使用例を示し、浴室全体の斜視図である。
【考案を実施するための形態】
【００１２】
この考案を実施するための形態として、介護用浴槽の縁部に設けて介護者の自立支援を行う補助台であって、該補助台（２）は介護用浴槽（１）の縁上面から床面にまでの高さ（Ｈ）に適合し、且つ、介護用浴槽（１）の縁上面及び床面部にそれぞれ２箇所設けた係止穴部（１ａ）（１ａ），（１ｂ）（１ｂ）に適合する外径寸法（ｄ）をそれぞれ有する段違いの門型脚部（２ａ）（２ａ）と、該門型脚部の上部全面に設けた矩形状の座板（２ｂ）から成ることを特徴とする自立支援用入浴補助台から構成される。
【００１３】
又、補助台（２）の脚部（２ａ'）（２ａ'），（２ａ"）（２ａ"）先端を嵌脱自在にそれぞれ設けたことを特徴とする自立支援用入浴補助台から構成される。
【実施例１】
【００１４】
そこで、この考案の一実施例を図１〜図２に基づいて詳述すると、まず図１に示すように補助台（２）は、介護用浴槽（１）の縁上面及び床面部にそれぞれ２箇所設けた係止穴部（１ａ）（１ａ），（１ｂ）（１ｂ）に適合する外径寸法（ｄ）をそれぞれ有する段違いの門型脚部（２ａ）（２ａ）と、該門型脚部の上部全面に設けた矩形状の座板（２ｂ）から成るものである。
【００１５】
又、上記門型脚部は嵌脱自在に設けられ、必要がない時には、係止穴部から脚部を外して使用することも可能に設けられている。又、介護用浴槽（１）の縁上面に設けた係止穴部は複数設けられ、介護者の使い勝手や用途に応じて、係止位置を変更することも可能に設けられている。
【００１６】
尚、前記門型脚部に関しては、門型に限定するものではなく、独立した脚部に変更しても構わない。
【００１７】
又、補助台（２）を使用しない場合は、安全の為、係止穴部（２ａ'）（２ａ"）にキャップ（Ｃ）をそれぞれ埋設して使用する。
【００１８】
又、本考案は介護する側の軽減化、ひいては介護を受ける人の自立を支援する為の入浴補助台である。
【産業上の利用可能性】
【００１９】
この考案の自立支援用入浴補助台は、利用者本人の残存能力を生かしつつ、合せて介護者の介護の軽減化と安全性を更に改善し、且つ、利用者本人の入浴意欲の増大が期待出来る事で、多くの介護施設及び介護者等に寄与するため産業上の利用可能性を有する。
【符号の説明】
【００２０】
１  介護用浴槽
１ａ  係止穴部（浴槽縁部上面）
１ｂ  係止穴部（床面）
２  補助台
２ａ'  脚部（浴槽縁上面側）
２ａ"  脚部（床面側）
２ｂ  座板
Ｃ  キャップ
ｄ  外径寸法（脚部）
Ｈ  浴槽縁上面から床面までの高さ
【図１】
0003171854.tif 000003
【図２】
0003171854.tif 000004
【手続補正書】
【提出日】平成23年9月8日(2011.9.8)
【手続補正３】
【補正対象書類名】実用新案登録請求の範囲
【補正対象項目名】請求項１
【補正方法】変更
【補正の内容】
【請求項１】
介護用浴槽の縁部に設けて介護者の自立支援を行う補助台であって、該補助台（２）は介護用浴槽（１）の縁上面から床面にまでの高さ（Ｈ）に適合し、且つ、介護用浴槽（１）の縁上面及び床面部にそれぞれ２箇所設けた係止穴部（１ａ）（１ａ），（１ｂ）（１ｂ）に適合する外径寸法（ｄ）をそれぞれ有する段違いの門型脚部（２ａ）（２ａ）と、該門型脚部の上部全面に設けた矩形状の座板（２ｂ）から成ることを特徴とする自立支援用入浴補助台。